(57)【要約】【課題】ＬＴＥ−Ａシステムにおいて、フォールバックモードにおいて送信ダイバーシチを適用したときに、高効率なフォールバックモードを実現することができる無線基地局装置、移動端末装置及び無線通信方法を提供すること。【解決手段】本発明の無線通信方法においては、無線基地局装置で、フォールバックモードの際に、参照信号構成を考慮したフォールバックモード用のスケジューリングを行い、スケジューリング後の送信信号をオープンループ制御の送信ダイバーシチで送信し、移動端末装置で、モード情報を含む下りリンク信号を受信し、フォールバックモードの際に、モード情報に基づいてフォールバックモード用のチャネル推定を行い、得られたチャネル推定値を用いて下りリンク信号を復調する。【選択図】図３
2011147069.tif 000002
【特許請求の範囲】
【請求項１】
復調用参照信号を含む送信データに対してプリコーディングを行うプリコーディング手段と、前記プリコーディング後の送信データに共通参照信号を多重する多重手段と、前記多重後の送信信号を送信する送信手段と、を具備し、前記プリコーディング手段は、フォールバックモードにおいて、前記送信データのリソースブロック毎にプリコーディングマトリクスを変更することを特徴とする無線基地局装置。
【請求項２】
フォールバックモードの際に、フォールバックモードにおける参照信号構成を考慮したフォールバックモード用のスケジューリングを行うスケジューリング手段と、前記スケジューリング後の送信信号をオープンループ制御の送信ダイバーシチで送信する送信手段と、を具備することを特徴とする無線基地局装置。
【請求項３】
前記参照信号構成が、ＬＴＥシステムにおける共通参照信号の配置構成であることを特徴とする請求項２記載の無線基地局装置。
【請求項４】
前記参照信号構成が、ＬＴＥ−Ａシステムにおけるスペシャルサブフレーム構成において復調用参照信号の代わりに共通参照信号を配置した構成であることを特徴とする請求項２記載の無線基地局装置。
【請求項５】
モード情報を含む下りリンク信号を受信する受信手段と、フォールバックモードの際に、前記モード情報に基づいてフォールバックモード用のチャネル推定を行うチャネル推定手段と、前記チャネル推定手段で求められたチャネル推定値を用いて前記下りリンク信号を復調する復調手段と、を具備することを特徴とする移動端末装置。
【請求項６】
前記参照信号構成が、ＬＴＥシステムにおける共通参照信号の配置構成であることを特徴とする請求項５記載の移動端末装置。
【請求項７】
前記参照信号構成が、ＬＴＥ−Ａシステムにおけるスペシャルサブフレーム構成において復調用参照信号の代わりに共通参照信号を配置した構成であることを特徴とする請求項５記載の移動端末装置。
【請求項８】
無線基地局装置において、復調用参照信号を含む送信データに対してプリコーディングを行う工程と、前記プリコーディング後の送信データに共通参照信号を多重する工程と、前記多重後の送信信号をクローズドループ制御の送信ダイバーシチで送信する工程と、を具備し、フォールバックモードにおいて、前記送信データのリソースブロック毎にプリコーディングマトリクスを変更することを特徴とする無線通信方法。
【請求項９】
無線基地局装置において、フォールバックモードの際に、フォールバックモードにおける参照信号構成を考慮したフォールバックモード用のスケジューリングを行う工程と、前記スケジューリング後の送信信号をオープンループ制御の送信ダイバーシチで送信する工程と、移動端末装置において、モード情報を含む下りリンク信号を受信する工程と、前記フォールバックモードの際に、前記モード情報に基づいてフォールバックモード用のチャネル推定を行う工程と、得られたチャネル推定値を用いて前記下りリンク信号を復調する工程と、を具備することを特徴とする無線通信方法。
【発明の詳細な説明】
【技術分野】
【０００１】
本発明は、次世代移動通信システムで使用される無線基地局装置、移動端末装置及び無線通信方法に関する。
【背景技術】
【０００２】
３ＧＰＰ（3rd  Generation  Partnership  Project）で規定されるＬＴＥ（Long  Term  Evolution）システム（非特許文献１）では、より高速な伝送を実現するために、無線基地局装置に複数のアンテナを用いるＭＩＭＯ（Multiple  Input  Multiple  Output）伝送を採用している。このＭＩＭＯ伝送を用いることにより、時間領域・周波数領域におけるスケジューリングに加えて、空間領域におけるスケジューリングを行うことができる。
【０００３】
また、複数のアンテナを用いる技術として、送信ダイバーシチがある。これらの技術は、良好なカバレッジを得るために適している。送信ダイバーシチには、移動端末装置からのフィードバックによらないオープンループ制御の送信ダイバーシチと、移動端末装置からのフィードバックによってチャネル状態に応じたビーム形成を行うクローズドループ制御の送信ダイバーシチ（ビームフォーミング）がある。
【０００４】
クローズドループ制御のビームフォーミングにおいては、予め用意されたアンテナウェイトの組み合わせ（コードブック）から適当なウェイト（プリコーディングマトリクス）を選択して送信データにウェイトを乗算する。ＬＴＥシステムにおけるマルチレイヤ伝送においては、レイヤ（ストリーム）毎に前記コードブックに基づいてプリコーディングを行い、複数ストリームで送信する。この場合において、選択されたプリコーディングマトリクスは、下りリンクの制御チャネル（Physical  Downlink  Control  Channel：ＰＤＣＣＨ）で移動端末装置に通知される。
【０００５】
ＬＴＥシステムにおいては、アンテナ毎に共通参照信号（Common  Reference  Signal：Common  ＲＳ）が定義されており、下りリンクの共有データチャネル（Physical  Downlink  Shard  Channel：ＰＤＳＣＨ）とは独立に送信される。このCommon  ＲＳは、移動端末装置において、チャネル品質を測定するために用いられると共に復調のためにも用いられる参照信号である。
【０００６】
したがって、ＰＤＳＣＨにおいてプリコーディングを行っている場合（複数ストリーム送信モード）には、移動端末装置においては、ＰＤＣＣＨで通知されたプリコーディングマトリクス情報とCommon  ＲＳとを用いて下りリンクの共有データチャネル信号を復調する。
【０００７】
一方、オープンループ制御の送信ダイバーシチは、例えば、高速移動環境下でクローズドループ制御が追従できず、受信品質の急速な劣化などに対応する場合に使用される。ＬＴＥシステムにおいては、ＭＩＭＯ伝送を行う場合、受信品質の急速な劣化などに対応するために、１ストリームのみを送るフォールバックモード（Fallback  Mode：RANK＝１のクローズドループ制御の空間多重）がサポートされている。オープンループ制御の送信ダイバーシチは、非常にRobustな送信法として、このフォールバックモードの際に適用される。
【０００８】
ＰＤＳＣＨにおいて送信ダイバーシチを行っている場合（フォールバックモード）には、予め決められた空間符号化（例えば、Space  Frequency  Block  Code）によってＰＤＳＣＨ信号を符号化し、移動端末装置において復号処理を行うことによって下りリンクの共有データチャネル信号を復調する。
【先行技術文献】
【非特許文献】
【０００９】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【００１０】
３ＧＰＰでは、高速伝送をＬＴＥシステムよりも広いカバレッジで実現するためのＬＴＥ−Ａ（ＬＴＥ−Advanced）システムが検討されている。このＬＴＥ−Ａシステムにおいても、高速移動環境下でクローズドループ制御が追従できず、受信品質の急速な劣化などに対応するフォールバックモードが必要である。
【００１１】
一方、ＬＴＥ−Ａシステムにおいては、Common  ＲＳに加えて、下りリンクで２種類の参照信号（復調用参照信号（ＤＭ−ＲＳ）及びチャネル品質測定用参照信号（ＣＳＩ−ＲＳ））が規定されている。ＬＴＥ−Ａシステムでは、ＰＤＳＣＨにプリコーディングを用いる場合、ＰＤＳＣＨと同一のプリコーディングマトリクスを乗算したＤＭ−ＲＳを用いて復調処理を行うので、Common  ＲＳはチャネル品質を測定するためだけに用いられる。このため、アンテナ毎のCommon  ＲＳは一部（例えば、先頭ＯＦＤＭ（Orthogonal  Frequency  Division  Multiplex）シンボルのみ）に限定されている。
【００１２】
このように、アンテナ毎のCommon  ＲＳが限定されると（Common  ＲＳの密度が低くなると）、フォールバックモードにおいてオープンループ制御の送信ダイバーシチを適用したときに、受信品質が大幅に劣化することが想定され、高効率なフォールバックモードを実現することができない。
【００１３】
本発明はかかる点に鑑みてなされたものであり、ＬＴＥ−Ａシステムにおいて、フォールバックモードにおいて送信ダイバーシチを適用したときに、高効率なフォールバックモードを実現することができる無線基地局装置、移動端末装置及び無線通信方法を提供することを目的とする。
【課題を解決するための手段】
【００１４】
本発明の無線基地局装置は、復調用参照信号を含む送信データに対してプリコーディングを行うプリコーディング手段と、前記プリコーディング後の送信データに共通参照信号を多重する多重手段と、前記多重後の送信信号を送信する送信手段と、を具備し、前記プリコーディング手段は、フォールバックモードにおいて、前記送信データのリソースブロック毎にプリコーディングマトリクスを変更することを特徴とする。
【００１５】
本発明の無線基地局装置は、フォールバックモードの際に、フォールバックモードにおける参照信号構成を考慮したフォールバックモード用のスケジューリングを行うスケジューリング手段と、前記スケジューリング後の送信信号をオープンループ制御の送信ダイバーシチで送信する送信手段と、を具備することを特徴とする。
【発明の効果】
【００１６】
本発明に係る無線基地局装置によれば、フォールバックモードにおいて、送信データのリソースブロック毎にプリコーディングマトリクスを変更する、あるいは、フォールバックモードの際に、フォールバックモード用の参照信号構成を考慮したフォールバックモード用のスケジューリングを行うので、ＬＴＥ−Ａシステムにおいて、フォールバックモードにおいて送信ダイバーシチを適用したときに、高効率なフォールバックモードを実現することができる。
【図面の簡単な説明】
【００１７】
【図１】（ａ）〜（ｃ）は、本発明に係る無線基地局装置におけるクローズドループ制御の送信ダイバーシチを説明するための図である。
【図２】ＬＴＥ−Ａシステムにおける参照信号構成を説明するための図である。
【図３】（ａ），（ｂ）は、本発明に係る無線基地局装置におけるオープンループ制御の送信ダイバーシチの際の参照信号構成を説明するための図である。
【図４】本発明の実施の形態に係る移動通信システムの構成を説明するための図である。
【図５】図４に示す移動通信システムにおける無線基地局装置の全体構成を示すブロック図である。
【図６】図５に示す無線基地局装置の実施の形態１に係るベースバンド信号処理部の機能ブロック図である。
【図７】図４に示す移動通信システムにおける移動端末装置の全体構成を示すブロック図である。
【図８】図５に示す無線基地局装置の実施の形態２に係るベースバンド信号処理部の機能ブロック図である。
【図９】図７に示す移動端末装置の実施の形態２に係るベースバンド信号処理部の機能ブロック図である。
【発明を実施するための形態】
【００１８】
以下、本発明の実施の形態について添付図面を参照して詳細に説明する。
ＬＴＥ−Ａシステムにおいて、高速移動環境下でクローズドループ制御が追従できず、受信品質の急速な劣化などに対応するフォールバックモードを高効率で実現するために、本発明では２つの方法を提案する。
【００１９】
まず、第１の方法は、フォールバックモードでランク１のプリコーディングを用いる方法である。この場合において、所定の間隔でプリコーディングマトリクスを変更する（切り替える）。第１の方法において、所定の間隔でのプリコーディングマトリクスの変更は、移動端末装置からのフィードバック情報（ＰＭＩ：Precoding  Matrix  Indicator）によらずにプリコーディングマトリクスを変更するので、クローズドループ制御ではなく、オープンループ制御を意味することになる。このように、所定の間隔でプリコーディングマトリクスを変更することにより、プリコーディングしてビームフォーミングを行っても指向性が平滑化されるので、移動端末装置の位置に特性が依存するというデメリットを緩和することができる。プリコーディングマトリクスを変更する所定の間隔としては、例えば、送信データのリソースブロック（ＲＢ）毎である。
【００２０】
第１の方法では、複数ストリームで送信するモードとフォールバックモードとを識別するモード情報により、移動端末装置からのフィードバック情報に基づいてプリコーディングするクローズドループ制御と、移動端末装置からのフィードバック情報によらないでプリコーディングマトリクスを変更するオープンループ制御とを切り替える。すなわち、第１の方法においては、モード情報が複数ストリーム送信のモードである場合に、送信データ（ＰＤＳＣＨ）と復調用参照信号（ＤＭ−ＲＳ）とを、図１（ｂ）に示すように、ビームフォーミングして指向性のある状態で送信し、モード情報がフォールバックモードである場合に、送信データ（ＰＤＳＣＨ（空間多重））と復調用参照信号（ＤＭ−ＲＳ）とを、図１（ｂ）に示すように、ビーム形成されて指向性のある状態で送信データと復調用参照信号（ＤＭ−ＲＳ）とを、図１（ｃ）に示すように、ＲＡＮＫ１のプリコーディングで送信する。このとき、所定の間隔でプリコーディングマトリクスを変更する。なお、アンテナ毎のCommon  ＲＳは、図１（ａ）に示すように、無指向性（オムニ）の状態で送信される。
【００２１】
第１の方法では、フォールバックモードにおいても復調用参照信号（ＤＭ−ＲＳ）を用いて復調するので、移動端末装置で複数ストリーム送信モード（空間多重）の場合と同様の構成を採用することができる。
【００２２】
第２の方法は、複数ストリームで送信するモードとフォールバックモードとを識別するモード情報により、移動端末装置からのフィードバック情報に基づいてプリコーディングするクローズドループ制御と、オープンループ制御の送信ダイバーシチ（ビームフォーミングなし）とを切り替える。すなわち、第２の方法においては、モード情報が複数ストリーム送信のモードである場合に、送信データ（ＰＤＳＣＨ）と復調用参照信号（ＤＭ−ＲＳ）とを、図１（ｂ）に示すように、ビームフォーミングして指向性のある状態で送信し、モード情報がフォールバックモードである場合に、送信データ（ＰＤＳＣＨ）をオープンループ制御の送信ダイバーシチにより送信する。このとき、上述したように、Common  ＲＳについては配置密度が小さいサブフレームが存在するため、参照信号構成を考慮する必要がある。
【００２３】
フォールバックモード用の参照信号構成については、ＬＴＥ−Ａシステムで採用される参照信号構成やＬＴＥシステムで採用される参照信号構成を用いることが望ましいので、ここでは、これらの参照信号構成に基づいて提案する。
【００２４】
まず、ＬＴＥ−Ａで採用される参照信号構成について説明する。図２は、ＬＴＥ−Ａシステムにおける参照信号構成を示す図である。この参照信号構成においては、ノーマルサブフレームの参照信号構成と、スペシャルサブフレーム（ＭＢＳＦＮ（ＭＢＭＳ(Multimedia  Broadcast  and  Multicast  Service)  over  a  Single  Frequency  Network）サブフレーム）の参照信号構成とがある。
【００２５】
ノーマルサブフレームの参照信号構成は、図２に示すように（図２の左側の構成）、ＬＴＥシステム（Release-8）で定義されたCommon  ＲＳとＬＴＥ−Ａシステムで定義された復調用参照信号（ＤＭ−ＲＳ）とが多重された参照信号構成である。この参照信号構成は、ＬＴＥ−Ａシステム対応の移動端末装置が多重されるＲＢに対してのみ、ＤＭ−ＲＳが多重される構成である。
【００２６】
スペシャルサブフレームの参照信号構成は、図２に示すように（図２の右側の構成）、ＬＴＥシステム（Release-8）で定義されたＭＢＳＦＮサブフレームの参照信号構成である。この参照信号構成は、Common  ＲＳが先頭の１ＯＦＤＭシンボル又は２ＯＦＤＭシンボルにのみ多重される構成である。このようにCommon  ＲＳの密度を低くしたのは、ＬＴＥシステム（Release-8）では、Common  ＲＳがチャネル品質の測定に加えてデータの復調に用いられていたが、ＬＴＥ−ＡシステムではＤＭ−ＲＳを新たに定義したために、Common  ＲＳがチャネル品質の測定などの限定的な用途にしか用いないからである。
【００２７】
本発明においては、このような参照信号構成を考慮して、フォールバックモードでの参照信号構成を提案する。
【００２８】
第１の態様では、図３（ａ）に示すように、ＬＴＥシステム（Release-8）で定義された共通参照信号構成を用いる。すなわち、フォールバックモードの移動端末装置（ＵＥ−Ａ）に対しては、ＬＴＥシステム（Release-8）で定義された共通参照信号構成を用い、複数ストリーム送信モードの他の移動端末装置（他ＵＥ）に対しては、図２に示すスペシャルサブフレームの参照信号構成を用いる。このような参照信号構成にすることにより、ノーマルサブフレームと同様のチャネル推定を行うことができる。なお、図３（ａ）に示すように、すべてのＲＢでCommon  ＲＳが配置されているわけではないので、必要に応じて周波数領域の補間などを変更することが望ましい。
【００２９】
第２の態様では、図３（ｂ）に示すように、ＬＴＥ−Ａシステムにおける復調用参照信号と同様の構成を用いる。すなわち、フォールバックモードの移動端末装置（ＵＥ−Ａ）に対しては、スペシャルサブフレーム構成において復調用参照信号の代わりに共通参照信号を配置した構成を用い、複数ストリーム送信モードの他の移動端末装置（他ＵＥ）に対しては、図２に示すスペシャルサブフレームの参照信号構成を用いる。このような参照信号構成は復調用参照信号の構成として最適化した構成であるため、移動端末装置におけるチャネル推定精度が第１の態様より高い。また、このような参照信号構成においては、復調用参照信号と同様のチャネル推定を用いることができる。ただし、この場合には、先頭のＯＦＤＭシンボルの参照信号をチャネル推定に用いないで行う必要がある。また、すべての参照信号をチャネル推定に用いる場合には、それに対応するチャネル推定法を用いることが望ましい。
【００３０】
（実施の形態１）
本実施の形態においては、送信データのリソースブロック毎にプリコーディングマトリクスを変更する場合について説明する。
まず、図４を参照しながら、本発明の実施の形態に係る移動端末装置（ＵＥ）１０及び無線基地局装置（ｅＮＢ）２０を有する移動通信システム１について説明する。
【００３１】
図４は、本発明の実施の形態に係る移動端末装置１０及び無線基地局装置２０を有する移動通信システム１の構成を説明するための図である。なお、図４に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄシステムと呼ばれても良く、４Ｇシステムと呼ばれても良い。
【００３２】
図４に示すように、移動通信システム１は、無線基地局装置２０と、この無線基地局装置２０と通信する複数の移動端末装置１０（１０１、１０２、１０３、・・・１０ｎ、ｎはｎ＞０の整数）とを含んで構成されている。無線基地局装置２０は、上位局装置３０と接続され、この上位局装置３０は、コアネットワーク４０と接続される。移動端末装置１０は、セル５０において無線基地局装置２０と通信を行っている。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。
【００３３】
各移動端末装置（１０１、１０２、１０３、・・・１０ｎ）は、同一の構成、機能、状態を有するので、以下においては、特段の断りがない限り移動端末装置１０として説明を進める。また、説明の便宜上、無線基地局装置２０と無線通信するのは移動端末装置１０であるものとして説明するが、より一般的には移動端末装置も固定端末装置も含むユーザ装置（ＵＥ：User  Equipment）でよい。
【００３４】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の移動端末装置が互いに異なる帯域を用いることで、移動端末装置間の干渉を低減するシングルキャリア伝送方式である。
【００３５】
ここで、ＬＴＥシステムにおける通信チャネルについて説明する。下りリンクについては、各移動端末装置１０で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、無線基地局装置２０で移動端末装置１０に割り当てたコンポーネントキャリアＣＣやスケジューリング情報は、Ｌ１／Ｌ２制御チャネルにより移動端末装置１０に通知される。
【００３６】
上りリンクについては、各移動端末装置１０で共有して使用されるＰＵＳＣＨ（Physical  Uplink  Shared  Channel）と、上りリンクの制御チャネルであるＰＵＣＣＨ（Physical  Uplink  Control  Channel）とが用いられる。このＰＵＳＣＨにより、ユーザデータが伝送される。また、ＰＵＣＣＨにより、下りリンクのチャネル品質情報（ＣＱＩ:Channel  Quality  Indicator）などが伝送される。
【００３７】
図５を参照しながら、本実施の形態に係る無線基地局装置２０の全体構成について説明する。無線基地局装置２０は、送受信アンテナ２１と、アンプ部２２と、送受信部２３と、ベースバンド信号処理部２４と、呼処理部２５と、伝送路インターフェース２６とを備えている。これらの送受信アンテナ２１と、アンプ部２２と、送受信部２３と、ベースバンド信号処理部２４とで送信手段が構成される。
【００３８】
下りリンクにより無線基地局装置２０から移動端末装置１０に送信されるユーザデータは、無線基地局装置２０の上位に位置する上位局装置３０から伝送路インターフェース２６を介してベースバンド信号処理部２４に入力される。
【００３９】
ベースバンド信号処理部２４において、ＰＤＣＰレイヤの処理、ユーザデータの分割・結合、ＲＬＣ（radio  link  control）再送制御の送信処理などのＲＬＣレイヤの送信処理、ＭＡＣ（Medium  Access  Control）再送制御、例えば、ＨＡＲＱ（Hybrid  Automatic  Repeat  reQuest）の送信処理、スケジューリング、伝送フォーマット選択、チャネル符号化、逆高速フーリエ変換（ＩＦＦＴ:Inverse  Fast  Fourier  Transform）処理、プリコーディング処理が行われる。また、下りリンク制御チャネルである物理下りリンク制御チャネルの信号に関しても、チャネル符号化や逆高速フーリエ変換などの送信処理が行われて、送受信部２３に転送される。
【００４０】
送受信部２３においては、ベースバンド信号処理部２４から出力されたベースバンド信号を無線周波数帯に変換する周波数変換処理が施され、その後、アンプ部２２で増幅されて送受信アンテナ２１より送信される。
【００４１】
一方、上りリンクにより移動端末装置１０から無線基地局装置２０に送信される信号については、送受信アンテナ２１で受信された無線周波数信号がアンプ部２２で増幅される。そして、送受信部２３で周波数変換されてベースバンド信号に変換された後、ベースバンド信号処理部２４に入力される。
【００４２】
ベースバンド信号処理部２４においては、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース２６を介して上位局装置３０に転送される。
【００４３】
呼処理部２５は、通信チャネルの設定や解放などの呼処理や、基地局装置２０の状態管理や、無線リソースの管理を行う。
【００４４】
次に、図７を参照しながら、本実施の形態に係る移動端末装置１０の全体構成について説明する。ＬＴＥシステム対応の移動端末装置（ＬＴＥ対応端末）もＬＴＥ−Ａシステム対応の移動端末装置（ＬＴＥ−Ａ対応端末）もハードウエアの主要部構成は同じであるので、区別せずに説明する。移動端末装置１０は、送受信アンテナ１１と、アンプ部１２と、送受信部１３と、ベースバンド信号処理部１４と、アプリケーション部１５とを備えている。これらの送受信アンテナ１１と、アンプ部１２と、送受信部１３と、ベースバンド信号処理部１４の一部とで受信手段が構成される。
【００４５】
下りリンクのデータについては、送受信アンテナ１１で受信された無線周波数信号がアンプ部１２で増幅され、送受信部１３で周波数変換されてベースバンド信号に変換される。このベースバンド信号は、ベースバンド信号処理部１４でＦＦＴ処理や、誤り訂正復号、再送制御の受信処理等がなされる。この下りリンクのデータの内、下りリンクのユーザデータは、アプリケーション部１５に転送される。アプリケーション部１５は、物理レイヤやＭＡＣレイヤより上位のレイヤに関する処理等を行う。また、下りリンクのデータの内、報知情報も、アプリケーション部１５に転送される。
【００４６】
一方、上りリンクのユーザデータについては、アプリケーション部１５からベースバンド信号処理部１４に入力される。ベースバンド信号処理部１４においては、再送制御（Ｈ−ＡＲＱ（Hybrid  ARQ））の送信処理や、チャネル符号化、ＤＦＴ処理、ＩＦＦＴ処理等が行われて送受信部１３に転送される。送受信部１３においては、ベースバンド信号処理部１４から出力されたベースバンド信号を無線周波数帯に変換する周波数変換処理が施され、その後、アンプ部１２で増幅されて送受信アンテナ１１より送信される。
【００４７】
図６は、本発明の実施の形態１に係る無線基地局装置２０が有するベースバンド信号処理部２４の機能ブロック図であり、主にベースバンド信号処理部２４における送信処理部の機能ブロックを示している。
【００４８】
ベースバンド信号処理部２４は、コードワード（ＣＷ）を各レイヤにマッピングするＣＷ−レイヤマッピング部２３１と、各レイヤにマッピングされた信号と復調用参照信号とに対してプリコーディングするプリコーディング部２３２と、プリコーディング後の信号とCommon  ＲＳとに対してＩＦＦＴするＩＦＦＴ部２３３と、ＩＦＦＴ後の信号にＣＰ（Cyclic  Prefix）を挿入するＣＰ挿入部２３４とから主に構成されている。
【００４９】
ＣＷ−レイヤマッピング部２３１は、トランスポートブロックに対応する適応変調への入力データ群であるコードワード（ＣＷ）を各レイヤにマッピングする。ＣＷ−レイヤマッピング部２３１は、各レイヤにマッピングされた信号をプリコーディング部２３２に出力する。
【００５０】
プリコーディング部２３２は、図１（ｂ）に示すように、各レイヤにマッピングされた信号（ＰＤＳＣＨ信号）と復調用参照信号（ＤＭ−ＲＳ）とに対してプリコーディングする。プリコーディング部２３２は、移動端末装置からのフィードバック情報（ＰＭＩ）に基づいて選択したコードブックを用いてＰＤＳＣＨ信号及びＤＭ−ＲＳをプリコーディングする。なお、ランク（レイヤ数）とコードブックはサブフレーム単位で移動端末装置に通知される。
【００５１】
また、プリコーディング部２３２は、フォールバックモードの際に、図１（ｃ）に示すように、一つのレイヤ（図１（ｃ）においてはレイヤ＃１）にマッピングされたＰＤＳＣＨ信号及びＤＭ−ＲＳに対してＲＡＮＫ＝１のプリコーディングを行う。この場合においては、所定の間隔、例えば、ＰＤＳＣＨ信号のリソースブロック毎にプリコーディングマトリクスを変更する。なお、この場合には、ランク（レイヤ数）とコードブックは移動端末装置に通知されない。
【００５２】
このような２つの制御は、複数ストリームで送信するモードとフォールバックモードとを識別する。すなわち、プリコーディング部２３２は、モード情報により、移動端末装置からのフィードバック情報に基づいてプリコーディングするクローズドループ制御と、移動端末装置からのフィードバック情報によらないでプリコーディングマトリクスを変更するオープンループ制御とを切り替える。なお、モード情報については、上位制御情報により移動端末装置に通知される。
【００５３】
移動端末装置においては、複数ストリーム送信モードでは、参照信号（Common  ＲＳ、ＤＭ−ＲＳ）及びコードブックを組み合わせて、ビームフォーミングされた下りリンク信号の同期検波を行う。一方、フォールバックモードでは、参照信号（Common  ＲＳ、ＤＭ−ＲＳ）を用いて、所定の間隔でビーム形状が異なる下りリンク信号の同期検波を行う。このような移動端末装置における２つの制御は、無線基地局装置から通知されるモード情報に基づいて切り替える。
【００５４】
プリコーディング部２３２は、プリコーディング後の信号をＩＦＦＴ部２３３に出力する。なお、プリコーディング後の信号には、Common  ＲＳが多重される。したがって、多重後の信号がＩＦＦＴ部２３３に出力される。ＩＦＦＴ部２３３は、プリコーディング後の信号をＩＦＦＴして、時間領域の信号に変換する。ＩＦＦＴ部２３３は、ＩＦＦＴ後の信号をＣＰ挿入部２３４に出力する。ＣＰ挿入部２３４は、ＩＦＦＴ後の信号にＣＰを挿入する。ＣＰ挿入された送信データは、送受信アンテナ２１から下りリンク（ＰＤＳＣＨ）で各移動端末装置に送信される。すなわち、送信データは、複数ストリーム送信モードにおいては、クローズドループ制御の送信ダイバーシチ（ビームフォーミング）で送信され、フォールバックモードにおいては、ＲＡＮＫ＝１のプリコーディングにより送信される。
【００５５】
上述したように、本実施の形態に係る無線通信方法においては、無線基地局装置で、復調用参照信号を含む送信データに対してプリコーディングを行い、前記プリコーディング後の送信データに共通参照信号を多重し、前記多重後の送信信号をクローズドループ制御の送信ダイバーシチで送信する方法であって、フォールバックモードにおいて、前記送信データのリソースブロック毎にプリコーディングマトリクスを変更することを特徴とする。
【００５６】
本実施の形態においては、フォールバックモードにおいて、送信データのリソースブロック毎にプリコーディングマトリクスを変更するので、ＬＴＥ−Ａシステムにおいて、フォールバックモードにおいて送信ダイバーシチを適用したときに、高効率なフォールバックモードを実現することができる。
【００５７】
（実施の形態２）
本実施の形態においては、フォールバックモードの際に、フォールバックモード用の参照信号構成を考慮したフォールバックモード用のスケジューリングを行う場合について説明する。なお、実施の形態２において、移動通信システム１の構成、無線基地局装置２０の全体構成及び移動端末装置の全体構成については実施の形態１と同じであるので、その詳細な説明は省略する。
【００５８】
図８は、実施の形態２に係る無線基地局装置２０が有するベースバンド信号処理部２４の機能ブロック図であり、主にベースバンド信号処理部２４における送信処理部の機能ブロックを示している。なお、図８においては、無線基地局装置２０の配下となる移動端末装置１０に対する送信データが上位局装置３０から無線基地局装置２０に対して転送される下りリンク構成について説明する。また、図８においては、コンポーネントキャリア数がＭ個（ＣＣ＃１〜ＣＣ＃Ｍ）の移動通信システム１に対応した無線基地局装置２０の構成が例示されている。
【００５９】
データ生成部２０１＃１〜２０１＃Ｎは、上位局装置３０から転送された送信データからユーザ毎のユーザデータを生成する。制御情報生成部２０２＃１〜２０２＃Ｎは、上述したＰＤＣＣＨ及びＰＤＳＣＨに関する情報を含む、ＲＲＣシグナリングで移動端末装置１０に通知する上位制御信号をユーザ別に生成する。本実施の形態においては、制御情報生成部２０２＃１〜２０２＃Ｎは、モード情報（複数ストリーム送信モード又はフォールバックモード）を含む上位制御信号をユーザ別に生成する。コンポーネントキャリア選択部２０３＃１〜２０３＃Ｎは、移動端末装置１０との無線通信に使用されるコンポーネントキャリアをユーザ毎に選択する。
【００６０】
スケジューリング部２０４は、コンポーネントキャリアＣＣ＃１に関するリソース割り当てを制御しており、ＬＴＥ対応端末とＬＴＥ−Ａ対応端末とを区別してスケジューリングを行う。スケジューリング部２０４には、上位局装置３０から送信データ及び再送指示が入力されると共に、上りリンクの信号を測定した受信部からチャネル推定値やリソースブロックのＣＱＩが入力される。スケジューリング部２０４は、これらの上位局装置３０から入力された再送指示、チャネル推定値及びＣＱＩを参照しながら、上下制御信号及び上下共有チャネル信号のスケジューリングを行う。移動通信における伝搬路は、周波数選択性フェージングにより周波数ごとに変動が異なる。そこで、ユーザ端末へのユーザデータ送信時に、各ユーザ端末に対してサブフレーム毎に通信品質の良好なリソースブロックを割り当てる適応周波数スケジューリングが適用される。適応周波数スケジューリングでは、各リソースブロックに対して伝搬路品質の良好なユーザ端末を選択して割り当てる。そのため、スケジューリング部２０４は、各ユーザ端末からフィードバックされるリソースブロック毎のＣＱＩを用いてリソースブロックを割り当てる。また、割り当てたリソースブロックで所定のブロック誤り率を満たすＭＣＳ（符号化率、変調方式）を決定する。
【００６１】
また、スケジューリング部２０４は、フォールバックモードの際に、参照信号構成を考慮したフォールバックモード用のスケジューリングを行う。すなわち、スケジューリング部２０４は、フォールバックモードの際には、例えば、図３（ａ），（ｂ）に示す参照信号構成に基づいてスケジューリングを行う。
【００６２】
具体的には、スケジューリング部２０４は、第１の態様では、図３（ａ）に示すように、フォールバックモードの移動端末装置（ＵＥ−Ａ）に対しては、ＬＴＥシステム（Release-8）で定義された共通参照信号構成を用い、複数ストリーム送信モードの他の移動端末装置（他ＵＥ）に対しては、図２に示すスペシャルサブフレームの参照信号構成を用いるので、このような参照信号構成に基づいてリソース割り当てを行う。
【００６３】
また、スケジューリング部２０４は、第２の態様では、図３（ｂ）に示すように、フォールバックモードの移動端末装置（ＵＥ−Ａ）に対しては、スペシャルサブフレーム構成において復調用参照信号の代わりに共通参照信号を配置した構成を用い、複数ストリーム送信モードの他の移動端末装置（他ＵＥ）に対しては、図２に示すスペシャルサブフレームの参照信号構成を用いるので、このような参照信号構成に基づいてリソース割り当てを行う。
【００６４】
ベースバンド信号処理部２４は、データ生成部２０１から出力されるユーザデータ及び制御情報生成部２０２から出力される制御信号を伝送する共有データチャネル（ＰＤＳＣＨ）をユーザ毎にチャネル符号化するチャネル符号化部２０５＃１〜２０５＃Ｎと、チャネル符号化された送信データをユーザ毎に変調する変調部２０６＃１〜２０６＃Ｎと、変調された送信データを無線リソースにマッピングするマッピング部２０７＃１〜２０７＃Ｎとを備えている。
【００６５】
また、ベースバンド信号処理部２４は、ユーザ固有の下り制御情報である下り共有データチャネル用制御情報を生成する下り制御情報生成部２０８＃１〜２０８＃Ｎと、ユーザ共通の下り制御情報である下り共通制御チャネル用制御情報を生成する下り共通チャネル用制御情報生成部２０９とを備えている。下り制御情報生成部２０８＃１〜２０８＃Ｎは、ＰＤＣＣＨで移動端末装置１０に通知する制御信号をユーザ別に生成する。ベースバンド信号処理部２４は、下り制御情報生成部２０８＃１〜２０８＃Ｎで生成される制御情報をユーザ毎にチャネル符号化するチャネル符号化部２１０＃１〜２１０＃Ｎと、下り共通チャネル用制御情報生成部２０９で生成された下り共通制御チャネル用制御情報をチャネル符号化するチャネル符号化部２１１と、チャネル符号化部２１０、２１１でチャネル符号化された下り制御情報を変調する変調部２１２＃１〜２１２＃Ｎ，２１３とを備えている。
【００６６】
さらに、ベースバンド信号処理部２４は、上り共有データチャネル（ＰＵＳＣＨ）を制御するための制御情報である上り共有データチャネル用制御情報をユーザ毎に生成する上り制御情報生成部２１４＃１〜２１４＃Ｎと、生成した上り共有データチャネル用制御情報をユーザ毎にチャネル符号化するチャネル符号化部２１５＃１〜２１５＃Ｎと、チャネル符号化された上り共有データチャネル用制御情報をユーザ毎に変調する変調部２１６＃１〜２１６＃Ｎとを備える。上り制御情報生成部２１４は、ＬＴＥ対応端末とＬＴＥ−Ａ対応端末とを区別して上り共有データチャネル用制御情報を生成する。
【００６７】
参照信号生成部２１７は、参照信号構成に基づいて、Common  ＲＳ、ＤＭ−ＲＳ、ＣＳＩ−ＲＳなどの参照信号を生成する。すなわち、参照信号生成部２１７は、図２、図３（ａ），（ｂ）に示す参照信号構成に基づいてCommon  ＲＳ、ＤＭ−ＲＳを生成する。参照信号生成部２１７は、参照信号をＩＦＦＴ部２２０に出力する。
【００６８】
上記変調部２１２＃１〜２１２＃Ｎ，２１３及び２１６＃１〜２１６＃Ｎでユーザ毎に変調された制御情報は、制御チャネル多重部２１８で多重され、さらにインタリーブ部２１９でインタリーブされる。インタリーブ部２１９から出力される制御信号及びマッピング部２０７＃１〜２０７＃Ｎから出力される送信データは、下りチャネル信号としてＩＦＦＴ部２２０へ入力される。ＩＦＦＴ部２２０は、下りチャネル信号を逆高速フーリエ変換して周波数領域の信号から時系列の信号に変換する。ＣＰ挿入部２２１は、下りチャネル信号の時系列信号にＣＰを挿入する。なお、ＣＰは、マルチパス伝搬遅延の差を吸収するためのガードインターバルとして機能する。ＣＰが挿入された送信データは、送受信部２３に送出され、下りリンクで移動端末装置にオープンループ制御の送信ダイバーシチで送信される。すなわち、送信データは、複数ストリーム送信モードにおいては、図２に示すスペシャルサブフレームの参照信号構成で送信され、フォールバックモードにおいては、図３（ａ）又は図３（ｂ）に示す参照信号構成で送信される。
【００６９】
図９は、実施の形態２に係る移動端末装置１０が有するベースバンド信号処理部１４の機能ブロック図であり、主にベースバンド信号処理部１４における送信処理部の機能ブロックを示している。まず、移動端末装置１０の下りリンク構成について説明する。
【００７０】
無線基地局装置２０から受信データとして受信された下りリンク信号は、ＣＰ除去部１０１でＣＰが除去される。この下りリンク信号には、複数ストリーム送信モード又はフォールバックモードを識別するモード情報が含まれている。ＣＰが除去された下りリンク信号は、ＦＦＴ部１０２へ入力される。ＦＦＴ部１０２は、下りリンク信号を高速フーリエ変換（ＦＦＴ：Fast  Fourier  Transform）して時間領域の信号から周波数領域の信号に変換し、デマッピング部１０３へ入力する。デマッピング部１０３は、下りリンク信号をデマッピングし、下りリンク信号から複数の制御情報が多重された多重制御情報、ユーザデータ、上位制御信号を取り出す。なお、デマッピング部１０３によるデマッピング処理は、アプリケーション部１５から入力される上位制御信号に基づいて行われる。デマッピング部１０３から出力された多重制御情報は、デインタリーブ部１０４でデインタリーブされる。
【００７１】
また、ベースバンド信号処理部１４は、多重制御情報から下り共通制御チャネル用制御情報を復調する共通制御チャネル用制御情報復調部１０５と、多重制御情報から上り共有データチャネル用制御情報を復調する上り共有データチャネル用制御情報復調部１０６と、多重制御情報から下り共有データチャネル用制御情報を復調する下り共有データチャネル用制御情報復調部１０７と、ユーザデータ及び上位制御信号を復調する下り共有データ復調部１０８と、下り共通チャネルデータを復調する下り共通チャネルデータ復調部１０９とを備えている。
【００７２】
共通制御チャネル用制御情報復調部１０５は、多重制御情報（ＰＤＣＣＨ）の共通サーチスペースのブラインドデコーディング処理、復調処理、チャネル復号処理などによりユーザ共通の制御情報である共通制御チャネル用制御情報を取り出す。共通制御チャネル用制御情報は、下りリンクのチャネル品質情報（ＣＱＩ）を含んでおり、後述するマッピング部１１５に入力され、無線基地局装置２０への送信データの一部としてマッピングされる。
【００７３】
上り共有データチャネル用制御情報復調部１０６は、多重制御情報（ＰＤＣＣＨ）のユーザ個別サーチスペースのブラインドデコーディング処理、復調処理、チャネル復号処理などによりユーザ固有の上り制御情報である上り共有データチャネル用制御情報を取り出す。上り共有データチャネル用制御情報は、上り共有データチャネル（ＰＵＳＣＨ）の制御に使用され、下り共通チャネルデータ復調部１０９へ入力される。
【００７４】
下り共有データチャネル用制御情報復調部１０７は、多重制御情報（ＰＤＣＣＨ）のユーザ個別サーチスペースのブラインドデコーディング処理、復調処理、チャネル復号処理などによりユーザ固有の下り制御信号である下り共有データチャネル用制御情報を取り出す。下り共有データチャネル用制御情報は、下り共有データチャネル（ＰＤＳＣＨ）の制御に使用され、下り共有データ復調部１０８へ入力される。
【００７５】
また、下り共有データチャネル用制御情報復調部１０７は、下り共有データ復調部１０８で復調された上位制御信号に含まれる、上述したＰＤＣＣＨ及びＰＤＳＣＨに関する情報に基づいて、ユーザ固有サーチスペースのブラインドデコーディング処理を行う。
【００７６】
下り共有データ復調部１０８は、下り共有データチャネル用制御情報復調部１０７から入力された下り共有データチャネル用制御情報に基づいて、ユーザデータや上位制御情報を取得する。上位制御情報（モード情報を含む）は、チャネル推定部１１０に出力される。下り共通チャネルデータ復調部１０９は、上り共有データチャネル用制御情報復調部１０６から入力された上り共有データチャネル用制御情報に基づいて、下り共通チャネルデータを復調する。
【００７７】
チャネル推定部１１０は、Common  ＲＳを用いてチャネル推定する。また、チャネル推定部１１０は、フォールバックモードの際に、モード情報に基づいてフォールバックモード用のチャネル推定を行う。すなわち、複数ストリーム送信モード又はフォールバックモードでチャネル推定を切り替える。具体的には、チャネル推定部１１０は、チャネル推定部１１０は、複数ストリーム送信モードにおいては、図２に示すスペシャルサブフレームの参照信号構成に基づいてチャネル推定し、フォールバックモードにおいては、図３（ａ）又は図３（ｂ）に示す参照信号構成に基づいてチャネル推定する。
【００７８】
また、チャネル推定部１１０は、推定されたチャネル変動を、共通制御チャネル用制御情報復調部１０５、上り共有データチャネル用制御情報復調部１０６、下り共有データチャネル用制御情報復調部１０７及び下り共有データ復調部１０８に出力する。これらの復調部においては、推定されたチャネル変動及び復調用参照信号を用いて下りリンク信号を復調する。
【００７９】
次に、移動端末装置１０の上りリンク構成について説明する。データ生成部１１１は、上りリンクのユーザデータを生成する。チャネル符号化部１１２は、データ生成部１１１から出力されるユーザデータをチャネル符号化する。変調部１１３は、チャネル符号化部１１２でチャネル符号化された送信データを変調する。ＤＦＴ部１１４は、変調された送信データを離散フーリエ変換（ＤＦＴ：Discrete  Fourier  Transform）して時系列の信号から周波数領域の信号に変換し、マッピング部１１５へ入力する。マッピング部１１５は、下りリンクで通知された割当情報に基づいて、送信データを無線リソースにマッピングする。ＩＦＦＴ部１１６は、送信データを逆高速フーリエ変換して周波数領域の信号から時間領域の信号に変換する。ＣＰ挿入部１１７は、送信データの時間領域の信号にＣＰを挿入する。ＣＰが挿入された送信データは、送受信部１３に送出される。
【００８０】
上述したように、本実施の形態に係る無線通信方法においては、無線基地局装置において、フォールバックモードの際に、フォールバックモードにおける参照信号構成を考慮したフォールバックモード用のスケジューリングを行い、前記スケジューリング後の送信信号をオープンループ制御の送信ダイバーシチで送信し、移動端末装置において、モード情報を含む下りリンク信号を受信し、前記フォールバックモードの際に、前記モード情報に基づいてフォールバックモード用のチャネル推定を行い、得られたチャネル推定値を用いて前記下りリンク信号を復調する。
【００８１】
本実施の形態においては、フォールバックモードの際に、フォールバックモード用の参照信号構成を考慮したフォールバックモード用のスケジューリングを行うので、ＬＴＥ−Ａシステムにおいて、フォールバックモードにおいて送信ダイバーシチを適用したときに、高効率なフォールバックモードを実現することができる。
【００８２】
本発明は上記実施の形態に限定されず、種々変更して実施することが可能である。上記実施の形態において、レイヤ数、参照信号構成は一例であり、これに限定されるものではない。また、本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【産業上の利用可能性】
【００８３】
本発明は、ＬＴＥ−Ａシステムの移動端末装置、無線基地局装置及び送信電力制御方法に有用である。
【符号の説明】
【００８４】
１  移動通信システム
１０  移動端末装置
１１  送受信アンテナ
１２  アンプ部
１３  送受信部
１４  ベースバンド信号処理部
１５  アプリケーション部
２０  無線基地局装置
２１  送受信アンテナ
２２  アンプ部
２３  送受信部
２４  ベースバンド信号処理部
２５  呼処理部
２６  伝送路インターフェース
３０  上位局装置
４０  コアネットワーク
１０１  ＣＰ除去部
１０２  ＦＦＴ部
１０３  デマッピング部
１０４  デインタリーブ部
１０５  共通制御チャネル用制御情報復調部
１０６  上り共有データチャネル用制御情報復調部
１０７  下り共有データチャネル用制御情報復調部
１０８  下り共有データ復調部
１０９  下り共通チャネルデータ復調部
１１０  チャネル推定部
１１１  データ生成部
１１２，２０５＃１〜２０５＃Ｎ，２１０＃１〜２１０＃Ｎ，２１１，２１５＃１〜２１５＃Ｎ  チャネル符号化部
１１３，２０６＃１〜２０６＃Ｎ，２１２＃１〜２１２＃Ｎ，２１３，２１６＃１〜２１６＃Ｎ  変調部
１１４  ＤＦＴ部
１１５  マッピング部
１１６，２２０，２３３  ＩＦＦＴ部
１１７，２２１，２３４  ＣＰ挿入部
２０１＃１〜２０１＃Ｎ  データ生成部
２０２＃１〜２０２＃Ｎ  制御情報生成部
２０３＃１〜２０３＃Ｎ  コンポーネントキャリア選択部
２０４  スケジューリング部
２０７＃１〜２０７＃Ｎ  マッピング部
２０８＃１〜２０８＃Ｎ  下り制御情報生成部
２０９  下り共通チャネル用制御情報生成部
２１４＃１〜２１４＃Ｎ  上り制御情報生成部
２１７  参照信号生成部
２１８  制御チャネル多重部
２１９  インタリーブ部
２３１  ＣＷ−レイヤマッピング部
２３２  プリコーディング部
【図１】
2011147069.tif 000003
【図２】
2011147069.tif 000004
【図３】
2011147069.tif 000005
【図４】
2011147069.tif 000006
【図５】
2011147069.tif 000007
【図６】
2011147069.tif 000008
【図７】
2011147069.tif 000009
【図８】
2011147069.tif 000010
【図９】
2011147069.tif 000011